(57)【要約】【課題】  接続端子を保護するための装着部品が装着部に装着されている状態に応じた適切な処理を実行する。【解決手段】  装着部が、記録装置によって実行される印刷処理に用いられる記録剤を格納するための格納部を有さず、接続端子を保護するための第２装着部品が装着されている第２状態であることに基づいて、第２印刷モードで前記記録装置を動作させる第２制御手段を有する記録装置を提供することで課題を解決する。【選択図】  図１
2020168828.tif 000002
【特許請求の範囲】
【請求項１】
第１の色の記録剤と第２の色の記録剤を少なくとも用いる第１印刷処理を実行可能な第１印刷モードと、前記第１印刷処理を実行せず前記第１の色の記録剤を用い前記第２の色の記録剤を用いない第２印刷処理を実行可能な第２印刷モードと、で動作可能であり、接続端子を含む装着部を有する記録装置であって、
前記装着部の状態が、前記記録装置によって実行される前記第２印刷処理に用いられる前記第２の色の記録剤を格納するための格納部を有する第１装着部品が前記接続端子を介して装着されている第１状態であることに基づいて、前記第１印刷モードで前記記録装置を動作させる第１制御手段と、
前記装着部の状態が、前記記録装置によって実行される印刷処理に用いられる記録剤を格納するための格納部を有さず且つ前記接続端子を保護するための第２装着部品が装着されている第２状態であることに基づいて、前記第２印刷モードで前記記録装置を動作させる第２制御手段と、
前記装着部の状態が、前記第１装着部品と前記第２装着部品のどちらもが装着されていない第３状態であることに基づいて、ユーザに通知を行うための通知処理を実行する通知手段と、を有することを特徴とする記録装置。
【請求項２】
前記通知処理は、前記ユーザに通知を行うための通知画面を表示部に表示する処理であることを特徴とする請求項１に記載の記録装置。
【請求項３】
前記通知処理は、前記ユーザに通知を行うための通知情報を、前記記録装置に接続している情報処理装置に送信する処理であることを特徴とする請求項１又は２に記載の記録装置。
【請求項４】
前記通知処理は、前記装着部が前記第３状態であることを通知するための処理であることを特徴とする請求項１乃至３のいずれか１項に記載の記録装置。
【請求項５】
前記通知処理は、前記第１装着部品又は前記第２装着部品を前記装着部に装着するように、ユーザを促すための処理であることを特徴とする請求項１乃至４のいずれか１項に記載の記録装置。
【請求項６】
前記装着部が、前記第１装着部品と前記第２装着部品のどちらもが装着されていない第３状態であることに基づいて、前記第１印刷処理と前記第２印刷処理のいずれも実行しない第３印刷モードで前記記録装置を動作させる第３制御手段と、をさらに有することを特徴とする請求項１乃至５のいずれか１項に記載の記録装置。
【請求項７】
前記装着部が、前記第１状態と前記第２状態、前記第３状態のうちいずれの状態であるかを判定するための判定処理を実行する判定手段を更に有し、
前記判定処理により前記装着部が前記第１状態であると判定されたことに基づいて、前記第１印刷モードで前記記録装置が動作させられ、
前記判定処理により前記装着部が前記第２状態であると判定されたことに基づいて、前記第２印刷モードで前記記録装置が動作させられ、
前記判定処理により前記装着部が前記第３状態であると判定されたことに基づいて、前記通知処理が実行されることを特徴とする請求項１乃至６のいずれか１項に記載の記録装置。
【請求項８】
前記第１装着部品は、前記第１装着部品の温度に基づく電圧値を出力する所定のセンサを有し、
前記記録装置は、前記装着部が前記第１状態である場合に、前記所定のセンサから出力される電圧値を得るための第１回路を有し、
前記第１回路を介して得られる電圧値に基づく所定の出力に基づいて、前記判定処理が実行されることを特徴とする請求項７に記載の記録装置。
【請求項９】
前記記録装置は、前記装着部が前記第１状態である場合に、信号を前記第１装着部品に出力するための第２回路を有し、
前記第２装着部品は、前記第１回路と前記第２回路を短絡するための短絡回路を有し、
前記装着部が前記第２状態である場合、前記所定の出力は、前記短絡回路によって前記第１回路と前記第２回路とが短絡している状態で前記第１回路を介して得られる電圧値に基づくことを特徴とする請求項８に記載の記録装置。
【請求項１０】
前記判定処理には、前記装着部が前記第１状態であるか否かを判定するための第１判定処理と、前記第１判定処理により前記装着部が前記第１状態でないと判定された場合に前記装着部が前記第２状態であるか前記第３状態であるかを判定するための第２判定処理とが含まれ、
前記第２回路は、前記装着部に装着されている部品に対して前記信号を出力可能な出力状態と、前記装着部に装着されている部品に対して前記信号を出力しない入力状態とのうちいずれかの状態であり、
前記第２回路が前記入力状態である状態で前記第１回路を介して得られる電圧値に基づく前記所定の出力に基づいて、前記第１判定処理が実行され、
前記第２回路が前記出力状態である状態で前記第１回路を介して得られる電圧値に基づく前記所定の出力に基づいて、前記第２判定処理が実行されることを特徴とする請求項９に記載の記録装置。
【請求項１１】
前記装着部が前記第２状態であり且つ前記第２回路が前記入力状態である状態で前記第１回路を介して得られる電圧値に基づく前記所定の出力と、前記装着部が前記第３状態であり且つ前記第２回路が前記入力状態である状態で前記第１回路を介して得られる電圧値に基づく前記所定の出力とが同じになることを特徴とする請求項１０に記載の記録装置。
【請求項１２】
前記装着部が前記第２状態であり且つ前記第２回路が前記出力状態である状態で前記第１回路を介して得られる電圧値に基づく前記所定の出力と、前記装着部が前記第３状態であり且つ前記第２回路が前記出力状態である状態で前記第１回路を介して得られる電圧値に基づく前記所定の出力とが異なることを特徴とする請求項１０又は１１に記載の記録装置。
【請求項１３】
前記装着部が前記第２状態であり且つ前記第２回路が前記入力状態である状態で前記第１回路を介して得られる電圧値に基づく前記所定の出力は、前記第１回路を介して電流を供給する電源が前記電流の供給に利用する電圧値に基づく前記所定の出力であることを特徴とする請求項１０乃至１２のいずれか１項に記載の記録装置。
【請求項１４】
前記第２回路は、前記装着部に装着されている部品に対して前記信号を出力可能な出力状態と、前記装着部に装着されている部品に対して前記信号を出力しない入力状態とのうちいずれかの状態であり、
前記第２回路が前記出力状態である状態で前記第１回路を介して得られる電圧値に基づく前記所定の出力に基づいて、前記判定処理が実行される請求項９に記載の記録装置。
【請求項１５】
前記第２回路が前記出力状態である状態において、前記第２回路はグラウンドと接続することを特徴とする請求項１０乃至１４のいずれか１項に記載の記録装置。
【請求項１６】
前記装着部が前記第３状態である場合、前記第１回路はハイインピーダンス状態となり、
前記装着部が前記第３状態である場合、前記所定の出力は、前記ハイインピーダンス状態である前記第１回路を介して得られる電圧値に基づくことを特徴とする請求項８乃至１５のいずれか１項に記載の記録装置。
【請求項１７】
前記所定のセンサは、前記記録装置によって印刷が実行されている状態における前記第１装着部品の温度に基づく電圧値を出力し、
前記記録装置によって印刷が実行されている状態における前記第１装着部品の温度に基づく電圧値に基づいて、前記記録装置による印刷が制御されることを特徴とする請求項８乃至１６のいずれか１項に記載の記録装置。
【請求項１８】
前記所定の出力は、前記第１回路を介して得られる電圧値がアナログ／デジタル変換された値であることを特徴とする請求項８乃至１７のいずれか１項に記載の記録装置。
【請求項１９】
前記所定の出力は、前記第１回路を介して得られる電圧値に基づいて特定される温度の値であることを特徴とする請求項８乃至１８のいずれか１項に記載の記録装置。
【請求項２０】
前記第１回路には、電圧値を増幅するアンプが備わっており、
前記第１回路を介して得られる電圧値は、前記アンプにより増幅された電圧値であることを特徴とする請求項８乃至１９のいずれか１項に記載の記録装置。
【請求項２１】
前記記録装置は、前記装着部と異なる他の装着部をさらに有し、
前記他の装着部が、前記第１の色の記録剤を格納可能な第３装着部品が装着されている第４状態であり、且つ前記装着部が前記第１状態であることに基づいて、前記第１印刷モードで前記記録装置が動作させられ、
前記他の装着部が前記第４状態であり、且つ前記装着部が前記第２状態であることに基づいて、前記第２印刷モードで前記記録装置が動作させられることを特徴とする請求項１乃至２０のいずれか１項に記載の記録装置。
【請求項２２】
前記他の装着部が、前記第３装着部品が装着されていない第５状態であることに基づいて、ユーザに通知を行うための通知処理を実行するユーザ通知手段と、をさらに有することを特徴とする請求項２１に記載の記録装置。
【請求項２３】
前記第４状態であるか否かを判定するための状態判定処理を実行する状態判定手段を更に有し、
前記状態判定処理により前記第４状態であると判定され、且つ前記装着部が前記第１状態であることに基づいて、前記第１印刷モードで前記記録装置が動作させられ、
前記状態判定処理により前記第４状態であると判定され、且つ前記装着部が前記第２状態であることに基づいて、前記第２印刷モードで前記記録装置が動作させられ、
前記状態判定処理により前記第４状態でないと判定されたことに基づいて、前記通知処理が実行されることを特徴とする請求項２２に記載の記録装置。
【請求項２４】
前記第３装着部品は、前記第３装着部品の温度に基づく電圧値を出力する特定のセンサを有し、
前記記録装置は、前記他の装着部が前記第４状態である場合に、前記特定のセンサから出力される電圧値を得るための第３回路を有し、
前記第３回路を介して得られる電圧値に基づく特定の出力に基づいて、前記状態判定処理が実行されることを特徴とする請求項２３に記載の記録装置。
【請求項２５】
前記第３回路は、前記装着部に装着されている部品に対して信号を出力可能な出力状態と、前記装着部に装着されている部品に対して前記信号を出力しない入力状態とのうちいずれかの状態であり、
前記第３回路が前記入力状態である状態で前記第３回路を介して得られる電圧値に基づく前記特定の出力に基づいて、前記状態判定処理が実行される請求項２４に記載の記録装置。
【請求項２６】
前記第３回路は、前記装着部に装着されている部品に対して信号を出力可能な出力状態と、前記装着部に装着されている部品に対して前記信号を出力しない入力状態とのうちいずれかの状態であり、
前記第３回路が前記出力状態である状態で前記第３回路を介して得られる電圧値に基づく前記特定の出力に基づいて、前記状態判定処理が実行される請求項２４に記載の記録装置。
【請求項２７】
前記他の装着部が、前記第５状態である場合、前記第３回路はハイインピーダンス状態となり、
前記他の装着部が前記第５状態である場合、前記特定の出力は、前記ハイインピーダンス状態である前記第３回路を介して得られる電圧値に基づくことを特徴とする請求項２４乃至２６のいずれか１項に記載の記録装置。
【請求項２８】
前記装着部が、前記第１装着部品と前記第２装着部品のどちらもが装着されていない第３状態であることに基づいて、ユーザに通知を行うための通知処理が実行され、
前記他の装着部が、前記第３装着部品が装着されていない第５状態であることに基づいて、ユーザに通知を行うための通知処理が実行され、
前記装着部が前記第３状態であり、且つ前記他の装着部が前記第４状態であることに基づいて実行される前記通知処理の内容と、前記装着部が前記第１状態又は前記第２状態であり、且つ前記他の装着部が前記第５状態であることに基づいて実行される前記通知処理の内容は、同一であることを特徴とする請求項２１乃至２７のいずれか１項に記載の記録装置。
【請求項２９】
前記装着部が、前記第１装着部品と前記第２装着部品のどちらもが装着されていない第３状態であることに基づいて、ユーザに通知を行うための通知処理が実行され、
前記他の装着部が、前記第３装着部品が装着されていない第５状態であることに基づいて、ユーザに通知を行うための通知処理が実行され、
前記装着部が前記第３状態であり、且つ前記他の装着部が前記第４状態であることに基づいて実行される前記通知処理の内容と、前記装着部が前記第１状態又は前記第２状態であり、且つ前記他の装着部が前記第５状態であることに基づいて実行される前記通知処理の内容は、それぞれ異なることを特徴とする請求項２１乃至２７のいずれか１項に記載の記録装置。
【請求項３０】
前記第２印刷モードで前記記録装置が動作する場合、前記第２印刷モードで前記記録装置が動作することを示す情報が、前記記録装置に接続している情報処理装置に送信され、
前記第２印刷モードで前記記録装置が動作することを示す情報が前記情報処理装置に送信された場合、前記情報処理装置は、前記記録装置に前記第１印刷処理を実行させるための印刷ジョブを送信しない状態で動作することを特徴とする請求項１乃至２９のいずれか１項に記載の記録装置。
【請求項３１】
前記第１印刷モードで前記記録装置が動作する場合、前記第１印刷モードで前記記録装置が動作することを示す情報が、前記記録装置に接続している情報処理装置に送信され、
前記第１印刷モードで前記記録装置が動作することを示す情報が前記情報処理装置に送信された場合、前記情報処理装置は、前記記録装置に前記第１印刷処理を実行させるための印刷ジョブを送信可能な状態で動作することを特徴とする請求項１乃至３０のいずれか１項に記載の記録装置。
【請求項３２】
前記第１装着部品は、前記記録剤を吐出する記録ヘッド、又は前記記録剤を格納するカートリッジであることを特徴とする請求項１乃至３１のいずれか１項に記載の記録装置。
【請求項３３】
前記第１の色の記録剤は、ブラックの記録剤であることを特徴とする請求項１乃至３２のいずれか１項に記載の記録装置。
【請求項３４】
前記第２の色の記録剤は、シアンの記録剤、イエローの記録剤、マゼンタの記録剤のうち少なくとも１つであることを特徴とする請求項１乃至３３のいずれか１項に記載の記録装置。
【請求項３５】
前記記録剤は、インク又はトナーであることを特徴とする請求項１乃至３４のいずれか１項に記載の記録装置。
【請求項３６】
前記記録装置の着荷時には、前記装着部は前記第２状態であることを特徴とする請求項１乃至３５のいずれか１項に記載の記録装置。
【請求項３７】
前記第１印刷モードは、さらに前記第２印刷処理を実行可能であるモードであることを特徴とする請求項１乃至３６のいずれか１項に記載の記録装置。
【請求項３８】
第１の色の記録剤と第２の色の記録剤を少なくとも用いる第１印刷処理を実行可能な第１印刷モードと、前記第１印刷処理を実行せず前記第１の色の記録剤を用い前記第２の色の記録剤を用いない第２印刷処理を実行可能な第２印刷モードと、で動作可能であり、接続端子を含む装着部を有する記録装置の制御方法であって、
前記装着部の状態が、前記記録装置によって実行される前記第２印刷処理に用いられる前記第２の色の記録剤を格納するための格納部を有する第１装着部品が前記接続端子を介して装着されている第１状態であることに基づいて、前記第１印刷モードで前記記録装置を動作させる第１制御ステップと、
前記装着部の状態が、前記記録装置によって実行される印刷処理に用いられる記録剤を格納するための格納部を有さず且つ前記接続端子を保護するための第２装着部品が装着されている第２状態であることに基づいて、前記第２印刷モードで前記記録装置を動作させる第２制御ステップと、
前記装着部の状態が、前記第１装着部品と前記第２装着部品のどちらもが装着されていない第３状態であることに基づいて、ユーザに通知を行うための通知処理を実行する通知ステップと、を有することを特徴とする制御方法。
【請求項３９】
コンピュータを、請求項１乃至３７のいずれか１項に記載の記録装置の各手段として機能させるためのプログラム。
【発明の詳細な説明】
【技術分野】
【０００１】
本発明は、記録装置、制御方法及びプログラムに関する。
【背景技術】
【０００２】
インク等の記録剤を格納可能な装着部品を、着脱可能に装着する装着部を備える記録装置が知られている。
【０００３】
特許文献１には、インクジェットヘッドを着脱可能なインクジェットプリンタが記載されている。
【先行技術文献】
【特許文献】
【０００４】
【特許文献１】特開２０１７−１８５７２２
【発明の概要】
【発明が解決しようとする課題】
【０００５】
ところで、装着部にいずれの装着部品も装着されない状態においては、装着部における装着部品との接続のための接続端子が剥き出しとなってしまい、当該接続端子に不純物が付着してしまうという課題が生じうる。そのため装着部には、記録剤を格納可能な装着部品が装着されない場合には、接続端子を保護するための装着部品が装着されうる。すなわち、装着部の状態には、記録剤を格納可能な装着部品が装着されている状態と、接続端子を保護するための装着部品が装着されている状態、いずれの装着部品も装着されない状態がある。
【０００６】
特許文献１には、接続端子を保護するための装着部品が装着部に装着されている状態が記載されておらず、接続端子を保護するための装着部品が装着部に装着されている状態における制御について考慮されていない。
【０００７】
そこで本発明は、接続端子を保護するための装着部品が装着部に装着されている状態に応じた適切な処理を実行することを目的とする。
【課題を解決するための手段】
【０００８】
第１の色の記録剤と第２の色の記録剤を少なくとも用いる第１印刷処理を実行可能な第１印刷モードと、前記第１印刷処理を実行せず前記第１の色の記録剤を用い前記第２の色の記録剤を用いない第２印刷処理を実行可能な第２印刷モードと、で動作可能であり、接続端子を含む装着部を有する記録装置であって、
前記装着部の状態が、前記記録装置によって実行される前記第２印刷処理に用いられる前記第２の色の記録剤を格納するための格納部を有する第１装着部品が前記接続端子を介して装着されている第１状態であることに基づいて、前記第１印刷モードで前記記録装置を動作させる第１制御手段と、
前記装着部の状態が、前記記録装置によって実行される印刷処理に用いられる記録剤を格納するための格納部を有さず且つ前記接続端子を保護するための第２装着部品が装着されている第２状態であることに基づいて、前記第２印刷モードで前記記録装置を動作させる第２制御手段と、
前記装着部の状態が、前記第１装着部品と前記第２装着部品のどちらもが装着されていない第３状態であることに基づいて、ユーザに通知を行うための通知処理を実行する通知手段と、を有することを特徴とする。
【発明の効果】
【０００９】
接続端子を保護するための装着部品が装着部に装着されている状態に応じた適切な処理を実行することが可能となる。
【図面の簡単な説明】
【００１０】
【図１】記録装置の内部構成を示す斜視図である。
【図２】インク供給ユニットの斜視図である。
【図３】記録ヘッドの概略図である。
【図４】キャリッジ基板ユニットを示す図である。
【図５】コンタクトプロテクタの概略図である。
【図６】装着部が第１装着状態である場合における回路構成を示す図である。
【図７】装着部が第２装着状態である場合における回路構成を示す図である。
【図８】装着部が第３装着状態である場合における回路構成を示す図である。
【図９】装着部がいずれの装着状態かを判定するための閾値を示すグラフである。
【図１０】状態判定処理及び、状態判定処理の結果に基づく処理を示すフローチャートである。
【図１１】状態判定処理の詳細を示すフローチャートである。
【図１２】情報処理装置と記録装置の構成を示すブロック図である。
【図１３】第１装着部が第１装着状態である場合における回路構成を示す図である。
【図１４】状態判定処理及び、状態判定処理の結果に基づく処理を示すフローチャートである。
【図１５】状態判定処理の詳細を示すフローチャートである。
【発明を実施するための形態】
【００１１】
本発明に係るインクジェット記録装置の実施形態について説明する。ただし、実施形態に記載されている構成要素はあくまで例示であり、本発明の範囲を限定する趣旨のものではない。本明細書においては、間欠的に搬送される記録媒体に対しインクを吐出する記録ヘッドを、記録媒体の搬送方向と交差する方向に往復移動させて記録を行う、シリアル型のインクジェット記録装置を例に説明する。しかしながら、本発明はシリアル型のインクジェット記録装置に限らず、長尺プリントヘッドを用いて連続的にプリントを行うライン型のインクジェット記録装置にも適用することができる。また、インクジェット方式の記録を行う記録装置だけでなく、電子写真方式等の他の方式の記録を行う記録装置にも適用することができる。そのため、本明細書において「記録剤」とは、インクやトナーを含む。また本明細書において「インク」とは、記録液などの液体の総称として用いる。さらに本明細書において「記録」とは、平面的なものに対する記録に限らず、立体物に対する記録も含む。本明細書において「記録媒体」とは、液体を吐出されるものであって、紙、布、プラスチックフィルム、金属板、ガラス、セラミックス、木材、皮革等の記録媒体の総称として用いる。さらに、記録媒体はカット紙に限らずロール状の連続紙も含む。
【００１２】
（第１実施形態）
図１は、本実施形態におけるインクジェット記録装置（以下、記録装置）１の内部構成を示す斜視図である。記録装置１において、給紙トレイ２に積載された被記録媒体であるシート材（不図示）は、給紙ローラ３によって搬送手段４へ搬送される。搬送手段４に搬送されたシート材は、プラテン５に支持された状態で印刷位置まで搬送される。印刷位置までシート材が搬送されると、キャリッジ６は、キャリッジ６を支持するレールに沿って移動しつつ、キャリッジ６に備えられた記録ヘッド７（図１では不図示）からインクを吐出することによって、シート材上に画像を記録（印刷）する。画像が記録されたシート材は、排紙手段（不図示）を通じて排紙トレイ（不図示）に排出される。また、記録ヘッド７へのインク供給手段の一つとして、記録装置１は、インクタンク９及びチューブ１０を備えている。また、記録装置１は、記録ヘッド７として、ブラックのインクを吐出する記録ヘッド７ａと、ブラック以外（シアン、マゼンタ、イエロー等）のインクを吐出する記録ヘッド７ｂとを備えている。チューブ１０は、インクタンク９と記録ヘッド７ａを接続し、インクタンク９が格納しているインクを記録ヘッド７ａへ供給する。なお記録ヘッド７ａは、インクタンク９から印刷処理時に供給されるインクを格納する格納部であるインク室（不図示）を有する。また、記録ヘッド７ｂも、記録ヘッド７ｂが備えるインクカートリッジ（不図示）から印刷処理時に供給されるインクを格納する格納部であるインク室（不図示）を有する。記録装置１は、各格納部に格納されたインクを吐出することで、印刷処理を実行する。すなわち本実施形態では、インクタンク９は、ブラックのインクを格納するものとする。さらに記録装置１は、記録ヘッド７の吐出性能を維持するためのメンテナンスに利用するメンテナンス部材として、記録ヘッド７のインク吐出口面を払拭するワイパー１１ａ及びインク吐出口面を覆うキャップ１１ｂからなる回復手段１１を備えている。
【００１３】
記録装置１が備えるインク供給ユニットの斜視図を図２に示す。インク供給ユニットには、インクタンク９や、記録ヘッド７、チューブ１０等が含まれる。また上述したように、本実施形態では記録装置１は、記録ヘッド７として、記録ヘッド７ａと、記録ヘッド７ｂとを備える。また、各記録ヘッドは、記録装置１において着脱可能であるものとする。
【００１４】
上述したようにチューブ１０は、記録ヘッド７ａとインクタンク９を接続しており、インクタンク９が格納するブラックのインクを、記録ヘッド７ａが備えるインク室に供給する。そして、記録ヘッド７ａは、インク室に供給されたインクを吐出する。またインクタンク９に格納されているインクが無くなった場合は、ユーザは、インクタンク９にインクを供給することで、インク切れを解消する。また記録ヘッド７ａは、吐出性能が低下した場合等に、ユーザによって交換される。記録ヘッド７ａが記録装置１から外される際は、記録ヘッド７ａからチューブ１０も外される。そして、再び記録ヘッド７ａが記録装置１に装着される際に、記録ヘッド７ａとチューブ１０とが再び接続される。
【００１５】
記録ヘッド７ｂは、ブラック以外のインク（カラーインク）を格納するインクカートリッジを備えている。本実施形態では、カラーインクは、インクカートリッジの外部のインクタンクから供給されることなく、予め記録ヘッド７ｂのインクカートリッジに格納されているものとする。そのため記録ヘッド７ｂのインクカートリッジに格納されているカラーインクが無くなった場合に、記録装置１によって、インクなしエラーが通知され、記録ヘッド７ｂの交換がユーザによって行われる。
【００１６】
図３（Ａ）は、記録ヘッド７ａの概略図であり、図３（Ｂ）は、記録ヘッド７ｂの概略図である。各記録ヘッドは、インクを格納するインク室、インク室内のインクを吐出する吐出口、熱によりインクの吐出を制御する駆動回路等（全て不図示）を含む。記録ヘッド７ａには、キャリッジが備えるヘッドコネクタと接続する金属製のパッド３１が、ＦＰＣ（Ｆｌｅｘｉｂｌｅ  Ｐｒｉｎｔｅｄ  Ｃｉｒｃｕｉｔｓ）基板３２上に形成されている。ヘッドコネクタとパッド３１との接続を介して、記録ヘッド７ａに電力や印刷データが供給される。また、記録ヘッド７ｂには、キャリッジが備えるヘッドコネクタと接続する金属製のパッド３３が、ＦＰＣ基板３４上に形成されている。ヘッドコネクタとパッド３３との接続を介して、記録ヘッド７ｂに電力や印刷データが供給される。記録ヘッド７ｂは、複数の色のインクを吐出するため、記録装置１本体から記録ヘッド７ｂに対して送信される印刷データの容量が、単色のインクを供給する場合に比べて大きくなる。そのため、記録ヘッド７ｂが備えるパッド３３の数は、記録ヘッド７ａが備えるパッド３１の数より多い。
【００１７】
図４は、記録装置１が備えるキャリッジに組み込まれているキャリッジ基板ユニットを示している。キャリッジ基板４０上のヘッドコネクタ４１が、記録ヘッド７ａが備えるパッド３１と接続するための金属製の接続端子であり、ヘッドコネクタ４２が、記録ヘッド７ｂが備えるパッド３３と接続するための金属製の接続端子である。
【００１８】
ここで、本実施形態の情報処理装置１０１と、本実施形態の情報処理装置と通信可能な記録装置１の構成について図１２のブロック図を参照して説明する。また、本実施形態では以下の構成を例に記載するが、特にこの図のとおりに機能を限定するものではない。
【００１９】
情報処理装置１０１は、記録装置１に印刷を実行させるための印刷ジョブを生成及び送信する装置である。情報処理装置１０１として、本実施形態ではパーソナルコンピュータ（以下、ＰＣ）を例示しているが、これに限定されない。情報処理装置１０１として、携帯端末、スマートフォン、タブレット端末、ＰＤＡ（Ｐｅｒｓｏｎａｌ  Ｄｉｇｉｔａｌ  Ａｓｓｉｓｔａｎｔ）、デジタルカメラ等、種々のものを適用可能である。
【００２０】
情報処理装置１０１は、入力インタフェース１０２、ＣＰＵ１０３、ＲＯＭ１０４、ＲＡＭ１０５、外部記憶装置１０６、出力インタフェース１０７、表示部１０８、通信部１１１等を有する。ＣＰＵ１０３、ＲＯＭ１０４、ＲＡＭ１０５等によって、情報処理装置１０１のコンピュータが形成される。
【００２１】
入力インタフェース１０２は、マウス１１０やキーボード１０９が操作されることにより、ユーザからのデータ入力や動作指示を受け付けるためのインタフェースである。
【００２２】
ＣＰＵ１０３は、システム制御部であり、情報処理装置１０１の全体を制御する。
【００２３】
ＲＯＭ１０４は、ＣＰＵ１０３が実行する制御プログラムやデータテーブル、組み込みオペレーティングシステム（以下、ＯＳという。）プログラム等の固定データを格納する。本実施形態では、ＲＯＭ１０４に格納されている各制御プログラムは、ＲＯＭ１０４に格納されている組み込みＯＳの管理下で、スケジューリングやタスクスイッチ、割り込み処理等のソフトウエア実行制御を行う。
【００２４】
ＲＡＭ１０５は、バックアップ電源を必要とするＳＲＡＭ（Ｓｔａｔｉｃ  Ｒａｎｄｏｍ  Ａｃｃｅｓｓ  Ｍｅｍｏｒｙ）等で構成される。なお、ＲＡＭ１０５は、図示しないデータバックアップ用の１次電池によってデータが保持されているため、プログラム制御変数等の重要なデータを揮発させずに格納することができる。また、情報処理装置１０１の設定情報や情報処理装置１０１の管理データ等を格納するメモリエリアもＲＡＭ１０５に設けられている。また、ＲＡＭ１０５は、ＣＰＵ１０３の主メモリとワークメモリとしても用いられる。
【００２５】
外部記憶装置１０６は、記録装置１が解釈可能な印刷情報を生成する印刷情報生成プログラム等を保存している。また、外部記憶装置１０６は、通信部１１１を介して接続している記録装置１との間で送受信する情報送受信制御プログラム等の各種プログラムや、これらのプログラムが使用する各種情報を保存している。
【００２６】
出力インタフェース１０７は、表示部１０８がデータの表示や情報処理装置１０１の状態の通知を行うための制御を行うインタフェースである。
【００２７】
表示部１０８は、ＬＥＤ（発光ダイオード）やＬＣＤ（液晶ディスプレイ）などから構成され、データの表示や情報処理装置１０１の状態の通知を行う。なお、表示部１０８上に、数値入力キー、モード設定キー、決定キー、取り消しキー、電源キー等の操作部を設置することで、表示部１０８を介してユーザからの入力を受け付けても良い。
【００２８】
通信部１１１は、記録装置１と接続して、データ通信を実行するための構成である。例えば、通信部１１１は、記録装置１内のアクセスポイント（不図示）に接続可能である。通信部１１１と記録装置１内のアクセスポイントが接続することで、情報処理装置１０１と記録装置１は相互に通信可能となる。なお、通信部１１１は無線通信で記録装置１とダイレクトに通信しても良いし、情報処理装置１０１や記録装置１の外部に存在する外部装置を介して通信しても良い。なお、外部装置とは、情報処理装置１０１の外部及び記録装置１の外部に存在する外部アクセスポイントや、アクセスポイント以外で通信を中継可能な装置を含む。無線通信方式としては、例えば、Ｗｉ−Ｆｉ（ＷｉｒｅｌｅｓｓＦｉｄｅｌｉｔｙ）（登録商標）等が挙げられる。また、アクセスポイントとしては、例えば、無線ＬＡＮルーター等の機器などが挙げられる。
【００２９】
なお情報処理装置１０１は、記録装置１等の装置と近距離で無線接続して、データ通信を実行するための構成であり、通信部１１１とは異なる通信方式によって通信を行う近距離無線通信部を有していても良い。近距離無線通信部の通信方式として例えば、Ｎｅａｒ  Ｆｉｅｌｄ  Ｃｏｍｍｕｎｉｃａｔｉｏｎ（ＮＦＣ）、Ｂｌｕｅｔｏｏｔｈ（登録商標）  Ｃｌａｓｓｉｃ、Ｂｌｕｅｔｏｏｔｈ  Ｌｏｗ  Ｅｎｅｒｇｙ（ＢＬＥ）、Ｗｉ−Ｆｉ  Ａｗａｒｅが挙げられる。また、情報処理装置１０１は、Ｕｎｉｖｅｒｓａｌ  Ｓｅｒｉａｌ  Ｂｕｓ（以下、ＵＳＢ）や有線ＬＡＮ等により、記録装置１と有線通信を行うための有線通信部を備えていても良い。
【００３０】
記録装置１は、ＲＯＭ１５２、ＲＡＭ１５３、ＣＰＵ１５４、プリントエンジン１５５、通信部１５６等を有する。ＲＯＭ１５２、ＲＡＭ１５３、ＣＰＵ１５４等によって、記録装置１のコンピュータが形成される。
【００３１】
通信部１５６は、記録装置１内部のアクセスポイントとして、情報処理装置１０１等の装置と接続するためのアクセスポイントを有している。なお、該アクセスポイントは、情報処理装置１０１の通信部１１１に接続可能である。通信部１５６が、該アクセスポイントを有効化することで、記録装置１がアクセスポイントとして動作することになる。なお、通信部１５６は無線通信で情報処理装置１０１とダイレクトに通信しても良いし、外部アクセスポイントを介して通信しても良い。通信方式としては、例えば、Ｗｉ−Ｆｉ（登録商標）等が挙げられる。また、通信部１５６は、アクセスポイントとして機能するハードウェアを備えていてもよいし、アクセスポイントとして機能させるためのソフトウエアにより、アクセスポイントとして動作してもよい。
【００３２】
なお記録装置１は、情報処理装置１０１等の装置と近距離で無線接続して、データ通信を実行するための構成であり、通信部１５６とは異なる通信方式によって通信を行う近距離無線通信部を有していても良い。近距離無線通信部の通信方式としては、例えば、ＮＦＣ、Ｂｌｕｅｔｏｏｔｈ（登録商標）  Ｃｌａｓｓｉｃ、ＢＬＥ、Ｗｉ−Ｆｉ  Ａｗａｒｅ等が挙げられる。また、記録装置１は、ＵＳＢや有線ＬＡＮ等により、情報処理装置１０１と有線通信を行うための有線通信部を備えていても良い。
【００３３】
ＲＡＭ１５３は、バックアップ電源を必要とするＳＲＡＭ等で構成される。なお、ＲＡＭ１５３は、図示しないデータバックアップ用の１次電池によってデータが保持されているため、プログラム制御変数等の重要なデータを揮発させずに格納することができる。また、記録装置１の設定情報や記録装置１の管理データ等を格納するメモリエリアもＲＡＭ１５３に設けられている。また、ＲＡＭ１５３は、ＣＰＵ１５４の主メモリとワークメモリとしても用いられ、情報処理装置１０１等から受信した印刷情報を一旦保存するための受信バッファや各種の情報を保存する。
【００３４】
ＲＯＭ１５２は、ＣＰＵ１５４が実行する制御プログラムやデータテーブル、ＯＳプログラム等の固定データを格納する。本実施形態では、ＲＯＭ１５２に格納されている各制御プログラムは、ＲＯＭ１５２に格納されている組み込みＯＳの管理下で、スケジューリングやタスクスイッチ、割り込み処理等のソフトウエア実行制御を行う。
【００３５】
ＣＰＵ１５４は、システム制御部であり、記録装置１の全体を制御する。
【００３６】
プリントエンジン１５５は、ＲＡＭ１５３に保存された情報や情報処理装置１０１等から受信した印刷ジョブに基づき、インク等の記録剤を紙等の記録媒体上に付加することで記録媒体上に画像を形成し、印刷結果を出力する。具体的にはプリントエンジン１５５は、受信した印刷ジョブに基づいて生成した印刷データを記録ヘッドに送信し、印刷データに基づくインクの吐出を記録ヘッドに実行させることで、印刷を行う。
【００３７】
なお、記録装置１には、外付けＨＤＤやＳＤカード等のメモリがオプション機器として装着されてもよく、記録装置１に保存される情報は、当該メモリに保存されても良い。
【００３８】
本実施形態において記録装置１は、複数の色のインクを用いた印刷（カラー印刷）とブラックのインクのみを用いた印刷（モノクロ印刷）の両方を行うことが可能なカラー印刷モードと、モノクロ印刷のみ行うことが可能なモノクロ印刷モードとで動作可能である。ユーザは、カラー印刷モードで記録装置１を動作させる場合、記録ヘッド７ａと記録ヘッド７ｂの両方を記録装置１に装着させる。一方ユーザは、モノクロ印刷モードで記録装置１を動作させる場合、記録ヘッド７ａを記録装置１に装着させるが、記録ヘッド７ｂを記録装置１に装着させる必要はない。
【００３９】
ところで、本実施形態の記録装置１は、基本的には、モノクロ印刷のみを実行可能なモノクロ印刷用のプリンタとして扱われる。記録装置１がカラー印刷用のプリンタとして扱われるのは、ユーザが、記録ヘッド７ｂを別途購入し、記録装置１に装着させた場合である。そのため記録装置１の着荷時には、記録装置１には、記録ヘッド７ａは装着されているが、記録ヘッド７ｂは装着されていない。しかしながら、キャリッジ基板４０やヘッドコネクタ４２等の、キャシッジにおける記録ヘッド７ｂが装着される部分（以下、装着部）に、いずれの部品も装着されない場合、ヘッドコネクタ４２が露出することになる。そして、ヘッドコネクタ４２が露出している状態では、不純物（インクの吐出によって発生するインクのミスト等）がヘッドコネクタ４２に付着し、ヘッドコネクタ４２の劣化が引き起こされてしまう可能性があるという課題が生じる。
【００４０】
この課題を解決するために本実施形態では、記録装置１は、ヘッドコネクタ４２を保護するためのコンタクトプロテクタ５０を装着部に装着可能である。そのため記録装置１の着荷時には、記録装置１には、記録ヘッド７ａ及びコンタクトプロテクタ５０が装着されている。
【００４１】
図５は、コンタクトプロテクタ５０の概略図である。コンタクトプロテクタ５０は、ヘッドコネクタ４２を保護するためのものであり、印刷処理に用いられるものではない。そのためコンタクトプロテクタ５０は、記録ヘッド７と異なり、インク室や吐出口、熱によりインクの吐出を制御する駆動回路等を含まない。コンタクトプロテクタ５０には、キャリッジが備えるヘッドコネクタ４２と接続する金属製のパッド５１が、ＦＰＣ基板５２上に形成されている。なおコンタクトプロテクタ５０におけるパッド５１は、記録ヘッド７ｂにおけるパッド３３と同様の配置で、ＦＰＣ基板５２上に形成されている。装着部にコンタクトプロテクタ５０が装着されることで、ヘッドコネクタ４２に不純物が付着することを抑制することができる。ひいては、ヘッドコネクタ４２の劣化を抑制することができる。また、コンタクトプロテクタ５０には、複数のパッド３３のうち所定の２つのパッドを短絡するための回路５３が備わっている。回路５３の役割については後述する。
【００４２】
すなわち本実施形態では、装着部の状態（以下、装着状態）として、記録ヘッド７ｂが装着されている第１装着状態、にコンタクトプロテクタ５０が装着されている第２装着状態、いずれの部品も装着されていない第３装着状態があるものとする。
【００４３】
装着部の装着状態に応じて、記録装置１が実行すべき動作はそれぞれ異なる。例えば上述したように本実施形態では、ヘッドコネクタ４２の劣化を抑制しつつ、記録装置１によって印刷を行うためには、装着部が第１装着状態及び第２装着状態のうちいずれかである必要がある。そのため本実施形態では、装着部が第３装着状態である場合には、エラーをユーザに通知する。また、本実施形態では、装着部が第１装着状態である状態においては、カラー印刷モードで記録装置１を動作させ、装着部が第２装着状態である状態においては、モノクロ印刷モードで記録装置１を動作させる。これにより、記録装置１は、装着部の装着状態に応じた適切な処理を実行可能となる。
そして、装着部の装着状態に応じた適切な処理を実行するために、本実施形態では記録装置１は、３つの装着状態のうちいずれの装着状態であるかを判定する状態判定処理を実行し、状態判定処理の判定結果に応じた処理を実行する。これにより記録装置１は、自身の印刷モードを自動で適切に決定することができる。
【００４４】
本実施形態における状態判定処理について詳細に説明する。
【００４５】
図６は、装着部が第１装着状態である場合における回路構成を示す図である。記録装置１の本体側（記録ヘッドの外側）に位置する回路６１には、ダイオード温度センサ７３からの出力を得るための回路７０と、印刷データを記録ヘッド７ｂに入力するための回路７１が含まれる。回路７０は、ヘッドコネクタ４２ａとパッド３３ａとを介して、記録ヘッド７ｂと接続し、回路７１は、ヘッドコネクタ４２ｃとパッド３３ｃとを介して、記録ヘッド７ｂと接続する。
【００４６】
構成６４〜６９、７１は、印刷データを記録ヘッド７ｂに送信するための回路構成である。印刷データは、抵抗６８とコンデンサ６９によって形成されるフィルタを介して、記録ヘッド７ｂ内のロジックブロック７４に送信される。記録ヘッド７ｂは、こうして受信した印刷データに基づいてインクの吐出を行う。ＧＰＩＯ（Ｇｅｎｅｒａｌ  Ｐｕｒｐｏｓｅ  Ｉｎｐｕｔ／Ｏｕｔｐｕｔ）端子６６は、ＡＳＩＣ７２と回路７１を接続する端子であり、入力状態又は出力状態で動作する。入力状態とは、入力部６５とＧＰＩＯ端子６６が接続している状態であり、記録ヘッド７ｂに対して印刷データ等の信号を供給しない状態である。出力状態とは、出力部６４とＧＰＩＯ端子６６が接続している状態であり、記録ヘッド７ｂに対して印刷データ等の信号を供給可能な状態である。記録装置１は、不要な信号が記録ヘッド７ｂに出力されてしまうことを抑制するため、印刷処理の実行中以外は基本的に、ＧＰＩＯ端子６６を入力状態で動作させる。なお出力部６４は、グラウンドと接続している。ＡＳＩＣ７２には、プルダウン抵抗６７が備わっており、プルダウン抵抗６７は、ＧＰＩＯ端子６６が入力状態である場合において、ＧＰＩＯ端子６６と接続している。すなわち図６は、ＧＰＩＯ端子６６が入力状態である場合の回路構成を示している。
【００４７】
装着部が第１装着状態である状態においては、回路６１にある定電流源６２が、記録ヘッド７ｂ内の回路にあるダイオード温度センサ７３に電流を供給する。これにより、ダイオード温度センサ７３が記録ヘッド７ｂの温度に基づく電圧Ｖｆを出力する。
【００４８】
電圧Ｖｆは微小な値であるため、ダイオード温度センサ７３は、電圧Ｖｆを増幅すべく、アンプ６３に電圧Ｖｆを出力する。これにより、アンプ６３は、電圧Ｖｆを増幅した値である電圧Ｖｆａを出力する。なお本実施形態において、アンプ６３は、ＧＡＩＮ＝α、オフセット＝βの特性を持っているため、電圧Ｖｆａの具体的な値は、αＶｆ＋βとなる。そしてアンプ６３は、ＡＳＩＣ７２が備えるコンバータに電圧Ｖｆａを出力する。ＡＳＩＣ７２はコンバータによって、電圧ＶｆａをＡ／Ｄ変換（アナログ／デジタル変換）し、電圧Ｖｆに基づくデジタル値を出力する。なお本実施形態において、１０ｂｉｔのコンバータによってリファレンス電圧Ｖｒｅｆ＝３．３ＶとしたＡ／Ｄ変換が行われるため、デジタル値の具体的な値は、１０２４（αＶｆ＋β）／３．３となる。そしてＡＳＩＣ７２は、こうして得られたデジタル値を、ＣＰＵ１５４に出力する。すなわちＣＰＵ１５４は、装着部が第１装着状態である状態においては、ダイオード温度センサ７３から回路７０を介して取得される電圧Ｖｆに基づくデジタル値を取得する。そしてＣＰＵ１５４は、特定の範囲内の値のデジタル値が取得されることに基づいて、装着部が第１装着状態であることを特定する。なおこのとき、記録ヘッド７ｂの温度は室温に近い状態であるため、室温に近い温度に対応する値のデジタル値が取得されることに基づいて、第１装着状態であることを特定する。このように、ＧＰＩＯ端子６６が入力状態である場合に回路７０を介して得られる電圧値に基づくデジタル値によって実行される状態判定処理を、以下、第１判定処理という。
【００４９】
図７（Ａ）は、ＧＰＩＯ端子６６が入力状態であり、且つ装着部が第２装着状態である場合における回路構成を示す図である。コンタクトプロテクタ５０に備わっている回路５３により、ダイオード温度センサ７３からの出力を得るための回路７０と、印刷データを記録ヘッド７ｂに入力するための回路７１とが短絡されることとなる。
【００５０】
装着部が第２装着状態である状態において、定電流源６２が電流の供給を開始すると、回路７０と回路７１が短絡されているため、回路７１に電力が流れ込む。なおこのとき、ＧＰＩＯ端子６６が入力状態である場合において入力部６５は絶縁されているため、入力部６５には電力が流れず、プルダウン抵抗６７に電力が流れ込むことになる。プルダウン抵抗６７は十分大きい抵抗値を有しているため、アンプ６３には、定電流源６２が定電流の供給に利用する電圧（電源電圧）である３．３Ｖが、回路７０を介して出力される。また、本実施形態ではアンプ６３から出力される電圧は３．３Ｖが上限であるため、結果としてアンプ６３に入力された電圧は増幅されずに、ＡＳＩＣ７２には、３．３Ｖの値が入力され、コンバータによって、３．３Ｖに対応するデジタル値が出力される。すなわちＣＰＵ１５４は、装着部が第２装着状態である状態においては、アンプ６３に対して出力可能な電圧値の限界値である３．３Ｖに基づくデジタル値を、回路７０を介して取得する。３．３Ｖに基づくデジタル値は、装着部が第１装着状態である状態において取得されるデジタル値と大きく乖離するため、３．３Ｖに基づくデジタル値が取得された場合は、装着部が第１装着状態でないことが特定される。
【００５１】
なお後述するが、装着部が第３装着状態である状態においても、ＣＰＵ１５４によって、３．３Ｖに基づくデジタル値（又は、それに近い値のデジタル値）が得られることになる。すなわち、第１判定処理では、３．３Ｖに対応するデジタル値が取得された場合に、ＣＰＵ１５４は、装着部が第２装着状態なのか第３装着状態なのかを判定することができない。そのため本実施形態では、ＣＰＵ１５４は、ＧＰＩＯ端子６６が入力状態である状態で３．３Ｖに対応するデジタル値が取得された場合は、さらに、装着部が第２装着状態なのか第３装着状態なのかを判定するための第２判定処理を行う。
【００５２】
具体的には、ＣＰＵ１５４は、ＡＳＩＣ７２内のスイッチの切り替えにより、プルダウン抵抗６７をＧＰＩＯ端子６６との接続を切断し、且つＧＰＩＯ端子６６を入力状態から出力状態に移行させる。これにより、図７（Ｂ）に示すような回路構成となる。そしてＣＰＵ１５４は、図７（Ｂ）に示すような回路構成において、定電流源６２が電流の供給を開始し、デジタル値を取得する。そしてＣＰＵ１５４は、取得したデジタル値に基づいて、装着部が第２装着状態なのか第３装着状態なのかを判定する。すなわち、第２判定処理とは、ＧＰＩＯ端子６６が出力状態である場合に回路７０を介して得られる電圧値に基づくデジタル値による状態判定処理である。なお装着部が第２装着状態である状態で実行される第２判定処理においては、出力部６４がグラウンドと接続していることにより、アンプ６３及びＡＳＩＣ７２には、回路７０を介して０Ｖの値（又は０Ｖに近い値）が入力されることとなる。結果としてＣＰＵ１５４は、装着部が第２装着状態である状態においては、０Ｖに基づくデジタル値を取得する。そのためＣＰＵ１５４は、ＧＰＩＯ端子６６が出力状態である場合に０Ｖに対応するデジタル値が取得されることに基づいて、装着部が第２装着状態であることを特定する。
【００５３】
図８（Ａ）は、ＧＰＩＯ端子６６が入力状態であり、且つ装着部が第３装着状態である場合における回路構成を示す図である。
【００５４】
装着部が第３装着状態である状態においては、ＭＡＩＮ基板上の回路７０が他の回路と電気的に接続していないため、ハイインピーダンス状態となる。ハイインピーダンス状態においては、定電流源６２から電流を流そうとしても電流は流れず、アンプ６３には、定電流源６２が電流の供給に利用する電圧である３．３Ｖが回路７０を介して出力される。結果として、装着部が第３装着状態である場合は、装着部が第２装着状態である状態と同様、ＣＰＵ１５４によって、３．３Ｖに対応するデジタル値が取得される。そのため上述したように本実施形態では、ＣＰＵ１５４は、ＧＰＩＯ端子６６が入力状態である状態で３．３Ｖに対応するデジタル値が取得された場合は、第２判定処理を行う。
【００５５】
回路の切り替えにより、第２判定処理では、図８（Ｂ）に示すような回路構成となる。このような回路構成（すなわち、ＧＰＩＯ端子６６が出力状態である回路構成）となっても、回路７０がハイインピーダンス状態であることは変わらない。そのためこのような回路構成において、定電流源６２が電流の供給を開始したとしても、第１判定処理の時と同様、ＣＰＵ１５４は、定電流源６２が電流の供給に利用する電圧である３．３Ｖに対応するデジタル値を、回路７０を介して取得することになる。そのためＣＰＵ１５４は、ＧＰＩＯ端子６６が出力状態である場合に３．３Ｖに対応するデジタル値が取得されることに基づいて、装着部が第３装着状態であることを特定する。
【００５６】
図９は、装着部がいずれの装着状態かを判定するための閾値を示すグラフである。ＧＰＩＯ端子６６が入力状態である場合に得られるデジタル値が、閾値ＡＤｔｈ２〜閾値ＡＤｔｈ３の範囲内である場合、装着部が第１装着状態であると判定され、閾値ＡＤｔｈ２〜閾値ＡＤｔｈ３の範囲外である場合、装着部が第１装着状態でないと判定される。なお閾値ＡＤｔｈ２〜閾値ＡＤｔｈ３の範囲は、記録ヘッド７ｂの通常状態の温度（すなわち、室温）に対応するデジタル値を含むように設定されている。そして、ＧＰＩＯ端子６６が出力状態である場合に得られるデジタル値が閾値ＡＤｔｈ１を上回った場合、装着部が第３装着状態であると判定される。また、ＧＰＩＯ端子６６が出力状態である場合に得られるデジタル値が閾値ＡＤｔｈ４を下回った場合、装着部が第２装着状態であると判定される。なお、閾値ＡＤｔｈ１は、３．３Ｖに対応するデジタル値より小さくなるように設定され、閾値ＡＤｔｈ４は、０Ｖに対応するデジタル値より大きくなるように設定される。
【００５７】
このように本実施形態では、回路７０を介して取得される電圧値に基づく値（すなわち、ＣＰＵ１５４によって取得されるデジタル値）を用いて、状態判定処理を行う。なお記録装置１は、取得したデジタル値を、ダイオード温度センサ７３の温度特性に基づく計算式に当てはめることで、取得したデジタル値に基づく温度を取得することが可能である。これにより記録装置１は、装着部が第１装着状態である状態においては、ダイオード温度センサ７３が出力する電圧Ｖｆに基づく温度を取得し、記録ヘッド７ｂの温度を取得することが可能となる。そして記録装置１は、このようにして印刷時における記録ヘッド７ｂの温度を取得することで、印刷時に記録ヘッド７ｂが適切な温度を保っているかどうかの判定を行う温度判定機能を有する。この機能により記録装置１は例えば、印刷時に記録ヘッド７ｂの温度が過剰に上昇していたり、印刷時に記録ヘッド７ｂの温度が過剰に低くなっていたりすることによりインクの吐出が正確に制御できない状態であることを特定することができる。なお記録装置１は、そのような状態であることが特定された場合、エラーをユーザに通知する。
【００５８】
そして本実施形態において記録装置１は、温度判定機能を司るセンサ（ダイオード温度センサ７３）からの出力を得る回路（回路７０）を介して取得される値に基づいて状態判定処理も実行する。これにより、状態判定処理のための特別な構成を加えることなく、状態判定処理を実現できる。なおＣＰＵ１５４は、状態判定処理を、デジタル値そのものではなく、上述のようにしてデジタル値から取得される温度の値に基づいて実行しても良い。すなわちＣＰＵ１５４は、状態判定処理を、ダイオード温度センサ７３からの出力値を得るための回路から出力される値に基づいて、状態判定処理を実行すればよい。
【００５９】
なお上述では、ＧＰＩＯ端子６６が入力状態である状態における判定処理（第１判定処理）とＧＰＩＯ端子６６が出力状態である状態における判定処理（第２判定処理）の両方を実行する形態を説明したが、この形態に限定されない。例えば、第１判定処理を実行せず、第２判定処理のみを実行する形態であっても良い。第２判定処理により、第１装着状態では室温に対応するデジタル値が取得され、第２装着状態では０Ｖに対応するデジタル値が取得され、第３装着状態では３．３Ｖに対応するデジタル値が取得される。そのため、第２判定処理のみを実行する形態でも、第１装着状態と第２装着状態、第３装着状態のうちいずれであるかを判定（特定）することができる。
【００６０】
図１０は、記録装置１が実行する状態判定処理及び、状態判定処理の結果に基づく処理を示すフローチャートである。本フローチャートが示す処理は、例えば、ＣＰＵ１５４がＲＯＭ１５２等に格納されたプログラムをＲＡＭ１５３に読み出して実行することにより実現される。また本フローチャートが示す処理は、記録装置１の電源が投入されたことや、記録装置１に装着されていた記録ヘッドが交換されたこと等に応じて開始される。なお、記録装置１に装着されていた記録ヘッドが交換されたかどうかの検知は、例えば、記録装置１の筐体に含まれるカバーであり、記録ヘッドの交換のためのカバーの開閉の検知によって実現される。また本フローチャートが示す処理は、ＧＰＩＯ端子６６が入力状態である状態で開始されるものとする。
【００６１】
Ｓ１００１にて、ＣＰＵ１５４は、状態判定処理を実行する。状態判定処理の詳細は後述する。
【００６２】
次にＳ１００２にて、ＣＰＵ１５４は、Ｓ１００１の状態判定処理によって特定される装着状態が、第１装着状態か否かを判定する。ＣＰＵ１５４は、ＹＥＳ判定の場合、Ｓ１００３に進み、ＮＯ判定の場合、Ｓ１００４に進む。
【００６３】
Ｓ１００２がＹＥＳ判定の場合に実行されるＳ１００３では、ＣＰＵ１５４は、記録装置１を、カラー印刷モードで動作させる。具体的には例えば、ＣＰＵ１５４は、記録装置１をカラー印刷モードで動作させる場合、記録ヘッド７ａと記録ヘッド７ｂの両方を用いるべく、それぞれの記録ヘッドに対して準備動作を行う。これにより、記録装置１は、カラー印刷及びモノクロ印刷の両方が実行可能な状態となる。また記録装置１は、カラー印刷の実行を指示するためのカラー印刷指示部と、モノクロ印刷の実行を指示するためのモノクロ印刷指示部を有している。そして記録装置１は、ユーザにより、カラー印刷指示部が操作された場合、カラー印刷を実行し、モノクロ印刷指示部が操作された場合、モノクロ印刷を実行する。例えば、ＣＰＵ１５４は、記録装置１がカラー印刷モードで動作している間は、カラー印刷指示部とモノクロ印刷指示部の両方を有効化し、両方の指示部から印刷の指示を受け付け可能となるように制御する。なお、各指示部は、記録装置１が備える不図示の物理ボタンであっても良いし、記録装置１が表示する画面において表示されるソフトボタンであっても良い。なお各指示部が操作された場合に実行される印刷は、記録装置１が原稿をスキャンすることにより得られる画像データに基づく印刷であっても良いし、記録装置１に取り付けられたメモリ（ＵＳＢメモリやＳＤカード）内の画像データに基づく印刷であっても良い。また例えば、ＣＰＵ１５４は、記録装置１をカラー印刷モードで動作させる場合、記録装置１と接続している情報処理装置１０１に対して、記録装置１がカラー印刷モードで動作することを示す情報を送信する。これにより、情報処理装置１０１は、モノクロ印刷を実行させるための印刷ジョブとカラー印刷を実行させるための印刷ジョブの両方を記録装置１に対して送信可能な状態となる。また例えば、ＣＰＵ１５４は、記録装置１をカラー印刷モードで動作させる場合、記録ヘッド７ａと記録ヘッド７ｂの両方が記録装置１に装着されていることや、記録装置１がカラー印刷モードで動作することを示す画面を表示する。その後、ＣＰＵ１５４は、本フローチャートの処理を終了する。
【００６４】
Ｓ１００２がＮＯ判定の場合に実行されるＳ１００４では、ＣＰＵ１５４は、Ｓ１００１の状態判定処理によって特定される装着状態が、第２装着状態か否かを判定する。ＣＰＵ１５４は、ＹＥＳ判定の場合、Ｓ１００５に進み、ＮＯ判定の場合、Ｓ１００６に進む。
【００６５】
Ｓ１００４がＹＥＳ判定の場合に実行されるＳ１００５では、ＣＰＵ１５４は、記録装置１を、モノクロ印刷モードで動作させる。具体的には例えば、ＣＰＵ１５４は、記録ヘッド７ａを用いるべく、記録ヘッド７ａに対してのみ準備動作を行う。これにより、記録装置１は、カラー印刷は実行できないが、モノクロ印刷が実行可能な状態となる。また例えば、ＣＰＵ１５４は、記録装置１がモノクロ印刷モードで動作している間は、カラー印刷指示部を無効化し、モノクロ印刷指示部のみから印刷の指示を受け付け可能となるように制御する。また例えば、ＣＰＵ１５４は、記録装置１と接続している情報処理装置１０１に対して、記録装置１がモノクロ印刷モードで動作することを示す情報を送信する。これにより、情報処理装置１０１は、カラー印刷を実行させるための印刷ジョブを記録装置１に対して送信できないが、モノクロ印刷を実行させるための印刷ジョブを記録装置１に対して送信可能な状態となる。また例えば、ＣＰＵ１５４は、記録ヘッド７ａが記録装置１に装着されており記録ヘッド７ｂが記録装置１に装着されていないことや、記録装置１がモノクロ印刷モードで動作することを示す画面を表示する。その後、ＣＰＵ１５４は、本フローチャートの処理を終了する。
【００６６】
Ｓ１００４がＮＯ判定の場合に実行されるＳ１００６では、ＣＰＵ１５４は、記録ヘッド７ｂとコンタクトプロテクタ５０のいずれもが装着部に装着されていないエラー（以下、装着エラー）が生じていることをユーザに通知するためのエラー通知処理を実行する。具体的には例えば、ＣＰＵ１５４は、装着エラーが生じていることをユーザに通知するためのエラー通知画面を、記録装置１が備える表示部（不図示）に表示する。また例えば、ＣＰＵ１５４は、記録装置１と接続している情報処理装置１０１に対して、装着エラーが生じていることをユーザに通知するためのエラー通知情報を送信する。これにより情報処理装置１０１は、表示部１０８に、エラー通知画面を表示する。なおここで実行される通知処理は例えば、装着部に記録ヘッド７ｂ又はコンタクトプロテクタ５０を装着するようにユーザを促すための通知処理であっても良い。なお装着エラーが生じている状態において、記録装置１は、カラー印刷とモノクロ印刷のどちらも実行できない状態である。すなわち、ＣＰＵ１５４は、装着エラーが生じている間は、カラー印刷指示部とモノクロ印刷指示部の両方を無効化し、両方の指示部から印刷の指示を受け付けできなくなるモード（エラーモード）で記録装置１が動作するように制御する。また例えば、ＣＰＵ１５４は、記録装置１と接続している情報処理装置１０１に対して、記録装置１がエラーモードで動作することを示す情報を送信する。これにより、情報処理装置１０１は、カラー印刷を実行させるための印刷ジョブとモノクロ印刷を実行させるための印刷ジョブの両方を記録装置１に対して送信できない状態となる。その後、ＣＰＵ１５４は、本フローチャートの処理を終了する。
【００６７】
図１１は、記録装置１が実行する状態判定処理（Ｓ１００１）の詳細を示すフローチャートである。本フローチャートが示す処理は、例えば、ＣＰＵ１５４がＲＯＭ１５２等に格納されたプログラムをＲＡＭ１５３に読み出して実行することにより実現される。
【００６８】
Ｓ１１０１にて、ＣＰＵ１５４は、ＧＰＩＯ端子６６が入力状態である状態において、定電流源６２による電流の供給を開始し、回路７０を介した出力に応じたデジタル値を取得する。当該デジタル値の取得方法は、上述したとおりである。
【００６９】
Ｓ１１０２にて、ＣＰＵ１５４は、第１判定処理を実行する。具体的には、Ｓ１１０１にて取得したデジタル値及び図９で示した閾値に基づいて、装着部が第１装着状態であるか否かを判定する。ＣＰＵ１５４は、ＹＥＳ判定の場合、Ｓ１１０３に進み、ＮＯ判定の場合、Ｓ１１０４に進む。
【００７０】
Ｓ１１０２がＹＥＳ判定の場合に実行されるＳ１１０３では、ＣＰＵ１５４は、装着部が第１装着状態であることを特定する。この特定結果は、上述したように、図１０に示したフローチャートにおける処理において参照される。その後、ＣＰＵ１５４は、本フローチャートの処理を終了し、Ｓ１００２に進む。
【００７１】
Ｓ１１０２がＮＯ判定の場合に実行されるＳ１１０４では、ＣＰＵ１５４は、プルダウン抵抗６７とＧＰＩＯ端子６６との接続を切断し、且つＧＰＩＯ端子６６を入力状態から出力状態に移行させる。
【００７２】
次にＳ１１０５では、ＣＰＵ１５４は、定電流源６２による電流の供給を開始し、回路７０を介した出力に応じたデジタル値を取得する。当該デジタル値の取得方法は、上述したとおりである。
【００７３】
次にＳ１１０６では、ＣＰＵ１５４は、第２判定処理を実行する。具体的には、Ｓ１１０５にて取得したデジタル値及び図９で示した閾値に基づいて、装着部が第２装着状態であるか否か（第３装着状態であるか）を判定する。ＣＰＵ１５４は、ＮＯ判定の場合、Ｓ１１０７に進み、ＹＥＳ判定の場合、Ｓ１１０８に進む。
【００７４】
Ｓ１１０６がＮＯ判定の場合に実行されるＳ１１０７では、ＣＰＵ１５４は、装着部が第３装着状態であることを特定する。この特定結果は、上述したように、図１０に示したフローチャートにおける処理において参照される。その後、ＣＰＵ１５４は、Ｓ１１０８に進む。
【００７５】
Ｓ１１０６がＹＥＳ判定の場合に実行されるＳ１１０８では、ＣＰＵ１５４は、装着部が第２装着状態であることを特定する。この特定結果は、上述したように、図１０に示したフローチャートにおける処理において参照される。その後、ＣＰＵ１５４は、Ｓ１１０８に進む。
【００７６】
Ｓ１１０８では、ＣＰＵ１５４は、プルダウン抵抗６７とＧＰＩＯ端子６６との接続を再確立し、且つＧＰＩＯ端子６６を出力状態から入力状態に移行させる。その後、ＣＰＵ１５４は、本フローチャートの処理を終了し、Ｓ１００２に進む。
【００７７】
このような形態とすることで、本実施形態の記録装置１は、装着部が第１装着状態と第２装着状態、第３装着状態の内いずれの状態であるかを適切に判定することができる。そして、特定した装着状態に応じた適切な処理を実行することができる。
【００７８】
（第２実施形態）
本実施形態では、記録ヘッド７ｂが装着される装着部の装着状態だけでなく、記録ヘッド７ａが装着される装着部の装着状態を考慮した処理を実行する形態について説明する。以下、記録ヘッド７ａが装着される装着部を第１装着部といい、記録ヘッド７ｂが装着される装着部を第２装着部という。
【００７９】
第１実施形態で説明したように、記録ヘッド７ｂだけでなく、記録ヘッド７ａも、記録装置１において脱着可能である。しかしながら第１装着部には、第２装着部と異なり、コンタクトプロテクタが装着されることはない。これは、記録ヘッド７ｂと異なり、記録ヘッド７ａは着荷時から記録装置１に装着されているため、ヘッドコネクタ４１は、記録ヘッド７ａによって保護されているためである。そのため、第１装着部の装着状態には、第１装着状態と第３装着状態が含まれ、第２装着状態が含まれない。
【００８０】
そこで本実施形態では、第２装着部の装着状態に関しては、第１装着状態と第２装着状態、第３装着状態のうちいずれであるかが判定されるのに対し、第１装着部の装着状態に関しては、第１装着状態と第３装着状態のうちいずれであるかのみが判定される。以下、第１装着部に関する状態判定処理を第１状態判定処理といい、第２装着部に関する状態判定処理を第２状態判定処理という。第２状態判定処理は、第１実施形態にて説明した状態判定処理と同様である。
【００８１】
本実施形態における第１状態判定処理について詳細に説明する。
【００８２】
図１３（Ａ）は、第１装着部が第１装着状態である場合における回路構成を示す図である。
【００８３】
記録装置１の本体側に位置するＭＡＩＮ基板上の回路１３１には、ダイオード温度センサ１４３からの出力を得るための回路１４０と、印刷データを記録ヘッド７ａに入力するための回路１４１が含まれる。回路１４０は、ヘッドコネクタ４１ａと、パッド３１ａとを介して、記録ヘッド７ａと接続し、回路１４１は、ヘッドコネクタ４１ｃと、パッド３１ｃとを介して、記録ヘッド７ａと接続する。
【００８４】
構成１３４〜１３９、１４１は、印刷データを記録ヘッド７ａに送信するための回路構成である。印刷データは、抵抗１３８とコンデンサ１３９によって形成されるフィルタを介して、記録ヘッド７ａ内のロジックブロック１４４に送信される。記録ヘッド７ａは、こうして受信した印刷データに基づいてインクの吐出を行う。ＧＰＩＯ端子１３６は、ＡＳＩＣ１４２と回路１４１を接続する端子であり、入力状態又は出力状態で動作する。入力状態と出力状態は、第１実施形態にて説明したとおりである。ＡＳＩＣ１４２には、プルダウン抵抗１３７が備わっており、プルダウン抵抗１３７は、ＧＰＩＯ端子１３６が入力状態である場合において、ＧＰＩＯ端子１３６と接続している。図１３（Ａ）は、ＧＰＩＯ端子６６が入力状態である場合の回路構成を示している。
【００８５】
第１装着部が第１装着状態である状態においては、回路１３１にある定電流源１３２が、記録ヘッド７ａ内の回路にあるダイオード温度センサ１４３に電流を供給する。これにより、ダイオード温度センサ１４３が記録ヘッド７ａの温度に基づく電圧Ｖｆを出力する。
【００８６】
電圧Ｖｆは微小な値であるため、ダイオード温度センサ１４３は、電圧Ｖｆを増幅すべく、アンプ１３３に電圧Ｖｆを出力する。これにより、アンプ１３３は、電圧Ｖｆを増幅した値である電圧Ｖｆａを出力する。なお本実施形態において、アンプ１３３は、ＧＡＩＮ＝α、オフセット＝βの特性を持っているため、電圧Ｖｆａの具体的な値は、αＶｆ＋βとなる。そしてアンプ１３３は、ＡＳＩＣ１４２が備えるコンバータに電圧Ｖｆａを出力する。ＡＳＩＣ１４２はコンバータによって、電圧ＶｆａをＡ／Ｄ変換し、電圧Ｖｆに基づくデジタル値を出力する。なお本実施形態において、１０ｂｉｔのコンバータによってリファレンス電圧Ｖｒｅｆ＝３．３ＶとしたＡ／Ｄ変換が行われるため、デジタル値の具体的な値は、１０２４（αＶｆ＋β）／３．３となる。そしてＡＳＩＣ１４２は、こうして得られたデジタル値を、ＣＰＵ１５４に出力する。すなわちＣＰＵ１５４は、装着部が第１装着状態である状態においては、ダイオード温度センサ１４３から回路１４０を介して取得される電圧Ｖｆに基づくデジタル値を取得する。そしてＣＰＵ１５４は、特定の範囲内の値のデジタル値が取得されることに基づいて、第１装着部が第１装着状態であることを特定する。なおこのとき、記録ヘッド７ｂの温度は室温に近い状態であるため、室温に近い温度に対応する値のデジタル値が取得されることに基づいて、第１装着状態であることを特定する。このように、回路１４０を介して得られる電圧値に基づくデジタル値によって実行される、第１装着に関する状態判定処理を、以下、第３判定処理という。
【００８７】
図１３（Ｂ）は、第１装着部が第３装着状態である場合における回路構成を示す図である。第１装着部が第３装着状態である状態においては、ＭＡＩＮ基板上の回路１４１が他の回路と電気的に接続していないため、ハイインピーダンス状態となる。ハイインピーダンス状態においては、定電流源１３２から電流を流そうとしても電流は流れず、アンプ１３３には、定電流源１３２が電流の供給に利用する電圧である３．３Ｖが回路１４０を介して出力される。結果として、第１装着部が第３装着状態である場合は、ＣＰＵ１５４によって、３．３Ｖに対応するデジタル値が取得される。なお上述したように、第１装着部にはコンタクトプロテクタが装着されず、第１装着部が第２装着状態になることはない。そのため、ＣＰＵ１５４は、３．３Ｖに対応するデジタル値が取得されることに基づいて、第１装着部が第３装着状態であることを特定する。
【００８８】
なお本実施形態では、第３判定処理が、ＧＰＩＯ端子６６が入力状態である状態において実行される。しかしながらこの形態に限定されず、ＧＰＩＯ端子６６が出力状態である状態において第３判定処理が実行されても良い。
【００８９】
また上述では、第１装着部を介して出力を得たり第１装着部を介して出力を送信するための構成である回路６１と、第２装着部を介して出力を得たり第２装着部を介して出力を送信するための構成である回路１３１が別々の構成である例を示した。しかしながら、この形態に限定されず、回路６１に含まれる構成と回路１３１に含まれる構成とが、一部又は全て同一であっても良い。
【００９０】
図１４は、記録装置１が実行する状態判定処理及び、状態判定処理の結果に基づく処理を示すフローチャートである。本フローチャートが示す処理は、例えば、ＣＰＵ１５４がＲＯＭ１５２等に格納されたプログラムをＲＡＭ１５３に読み出して実行することにより実現される。また本フローチャートが示す処理は、記録装置１の電源が投入されたことや、記録装置１に装着されていた記録ヘッドが交換されたこと等に応じて開始される。なお、記録装置１に装着されていた記録ヘッドが交換されたかどうかの検知は、例えば、記録装置１の筐体に含まれるカバーであり、記録ヘッドの交換のためのカバーの開閉の検知によって実現される。また本フローチャートが示す処理は、ＧＰＩＯ端子６６が入力状態である状態で開始されるものとする。
【００９１】
Ｓ１４０１にて、ＣＰＵ１５４は、第１状態判定処理を実行する。第１状態判定処理の詳細は後述する。
【００９２】
次にＳ１４０２にて、ＣＰＵ１５４は、第２状態判定処理を実行する。第２状態判定処理の詳細は、図１０を用いて第１実施形態で説明したとおりである。
【００９３】
次にＳ１４０３にて、ＣＰＵ１５４は、Ｓ１４０１の第１状態判定処理によって特定される第１装着部の装着状態が、第１装着状態か否か（第３装着状態か）を判定する。ＣＰＵ１５４は、ＹＥＳ判定の場合、Ｓ１４０７に進み、ＮＯ判定の場合、Ｓ１４０４に進む。
【００９４】
Ｓ１４０３がＮＯ判定の場合に実行されるＳ１４０４では、ＣＰＵ１５４は、Ｓ１４０２の第２状態判定処理によって特定される第２装着部の装着状態が、第３装着状態か否かを判定する。ＣＰＵ１５４は、ＹＥＳ判定の場合、Ｓ１４０５に進み、ＮＯ判定の場合、Ｓ１４０６に進む。
【００９５】
Ｓ１４０４がＹＥＳ判定の場合に実行されるＳ１４０５では、ＣＰＵ１５４は、第１装着部にも第２装着部にも、いずれの装着部品も装着されていないエラー（以下、第１装着エラー）が生じていることをユーザに通知するための第１エラー通知処理を実行する。具体的には例えば、ＣＰＵ１５４は、第１装着エラーが生じていることをユーザに通知するための第１エラー通知画面を、記録装置１が備える表示部（不図示）に表示する。また例えば、ＣＰＵ１５４は、記録装置１と接続している情報処理装置１０１に対して、第１装着エラーが生じていることをユーザに通知するための第１エラー通知情報を送信する。これにより情報処理装置１０１は、表示部１０８に、第１エラー通知画面を表示する。また、情報処理装置１０１は、カラー印刷を実行させるための印刷ジョブとモノクロ印刷を実行させるための印刷ジョブの両方を記録装置１に対して送信できない状態となる。なお第１実施形態と同様、装着エラーが生じている状態において、記録装置１は、カラー印刷とモノクロ印刷のどちらも実行できない状態である。なおここで実行される通知処理は、第１装着部に記録ヘッド７ａを装着し、第２装着部に記録ヘッド７ｂ又はコンタクトプロテクタ５０を装着するようにユーザを促すための通知処理であっても良い。その後、ＣＰＵ１５４は、本フローチャートの処理を終了する。
【００９６】
Ｓ１４０４がＮＯ判定の場合に実行されるＳ１４０６では、ＣＰＵ１５４は、第１装着部に、記録ヘッド７ａが装着されていないエラー（以下、第２装着エラー）が生じていることをユーザに通知するための第２エラー通知処理を実行する。具体的には例えば、ＣＰＵ１５４は、第２装着エラーが生じていることをユーザに通知するための第２エラー通知画面を、記録装置１が備える表示部（不図示）に表示する。また例えば、ＣＰＵ１５４は、記録装置１と接続している情報処理装置１０１に対して、第２装着エラーが生じていることをユーザに通知するための第２エラー通知情報を送信する。これにより情報処理装置１０１は、表示部１０８に、第２エラー通知画面を表示する。また情報処理装置１０１は、カラー印刷を実行させるための印刷ジョブとモノクロ印刷を実行させるための印刷ジョブの両方を記録装置１に対して送信できない状態となる。なおここで実行される通知処理は、第１装着部に記録ヘッド７ａを装着するようにユーザを促すための通知処理であっても良い。その後、ＣＰＵ１５４は、本フローチャートの処理を終了する。
【００９７】
Ｓ１４０３がＹＥＳ判定の場合に実行されるＳ１４０７では、ＣＰＵ１５４は、Ｓ１４０２の第２状態判定処理によって特定される第２装着部の装着状態が、第１装着状態か否かを判定する。ＣＰＵ１５４は、ＹＥＳ判定の場合、Ｓ１４０８に進み、ＮＯ判定の場合、Ｓ１４０９に進む。
【００９８】
Ｓ１４０７がＹＥＳ判定の場合に実行されるＳ１４０８では、ＣＰＵ１５４は、記録装置１を、カラー印刷モードで動作させる。カラー印刷モードの詳細は、第１実施形態にて説明した通りである。その後、ＣＰＵ１５４は、本フローチャートの処理を終了する。
【００９９】
Ｓ１４０７がＮＯ判定の場合に実行されるＳ１４０９では、ＣＰＵ１５４は、Ｓ１４０２の第２状態判定処理によって特定される第２装着部の装着状態が、第２装着状態か否かを判定する。ＣＰＵ１５４は、ＹＥＳ判定の場合、Ｓ１４１０に進み、ＮＯ判定の場合、Ｓ１４１１に進む。
【０１００】
Ｓ１４０９がＹＥＳ判定の場合に実行されるＳ１４１０では、ＣＰＵ１５４は、記録装置１を、モノクロ印刷モードで動作させる。モノクロ印刷モードの詳細は、第１実施形態にて説明した通りである。その後、ＣＰＵ１５４は、本フローチャートの処理を終了する。
【０１０１】
Ｓ１４０９がＮＯ判定の場合に実行されるＳ１４１１では、ＣＰＵ１５４は、第３エラー通知処理を実行する。第３エラー通知処理は、第２装着部に、記録ヘッド７ｂとコンタクトプロテクタ５０のいずれもが装着されていないエラー（以下、第３装着エラー）が生じていることをユーザに通知するための処理である。具体的には例えば、ＣＰＵ１５４は、第３装着エラーが生じていることをユーザに通知するための第３エラー通知画面を、記録装置１が備える表示部（不図示）に表示する。また例えば、ＣＰＵ１５４は、記録装置１と接続している情報処理装置１０１に対して、第３装着エラーが生じていることをユーザに通知するための第３エラー通知情報を送信する。これにより情報処理装置１０１は、表示部１０８に、第３エラー通知画面を表示する。また情報処理装置１０１は、カラー印刷を実行させるための印刷ジョブとモノクロ印刷を実行させるための印刷ジョブの両方を記録装置１に対して送信できない状態となる。なおここで実行される通知処理は、第２装着部に記録ヘッド７ｂ又はコンタクトプロテクタ５０を装着するようにユーザを促すための通知処理であっても良い。その後、ＣＰＵ１５４は、本フローチャートの処理を終了する。
【０１０２】
なお上述の形態に限定されず、ＣＰＵ１５４は例えば、第１状態判定処理により第１装着部が第３状態であることを特定した時点で、第２状態判定処理を実行せず、エラー通知処理を実行しても良い。
【０１０３】
また上述の形態では、各エラー通知処理の内容（エラー通知画面の内容やエラー通知情報の内容）がそれぞれ異なっているが、各エラー通知処理の内容が同じであっても良い。例えば、少なくとも１つの装着部において、いずれの装着部品も装着されていないエラーが生じていることをユーザに通知するための処理が、各エラー通知処理において実行されても良い。この場合、エラー通知画面やエラー通知情報が、各エラー通知処理において同じとなる。
【０１０４】
図１５は、記録装置１が実行する第１状態判定処理（Ｓ１４０１）の詳細を示すフローチャートである。本フローチャートが示す処理は、例えば、ＣＰＵ１５４がＲＯＭ１５２等に格納されたプログラムをＲＡＭ１５３に読み出して実行することにより実現される。
【０１０５】
Ｓ１５０１にて、ＣＰＵ１５４は、ＧＰＩＯ端子１３６が入力状態である状態において、定電流源１３２による電流の供給を開始し、回路１４０を介した出力に応じたデジタル値を取得する。当該デジタル値の取得方法は、上述したとおりである。
【０１０６】
Ｓ１５０２にて、ＣＰＵ１５４は、第３判定処理を実行する。具体的には、Ｓ１５０１にて取得したデジタル値及び図９で示した閾値に基づいて、装着部が第１装着状態であるか否かを判定する。ＣＰＵ１５４は、ＹＥＳ判定の場合、Ｓ１５０３に進み、ＮＯ判定の場合、Ｓ１５０４に進む。
【０１０７】
Ｓ１５０２がＹＥＳ判定の場合に実行されるＳ１５０３では、ＣＰＵ１５４は、第１装着部が第１装着状態であることを特定する。この特定結果は、上述したように、図１４に示したフローチャートにおける処理において参照される。その後、ＣＰＵ１５４は、本フローチャートの処理を終了し、Ｓ１４０２に進む。
【０１０８】
Ｓ１５０２がＮＯ判定の場合に実行されるＳ１５０４では、ＣＰＵ１５４は、第１装着部が第３装着状態であることを特定する。この特定結果は、上述したように、図１４に示したフローチャートにおける処理において参照される。その後、ＣＰＵ１５４は、本フローチャートの処理を終了し、Ｓ１４０２に進む。
【０１０９】
このような形態とすることで記録装置１は、各装着部の状態に応じた適切な処理を実行することができる。
【０１１０】
（その他の実施形態）
上述の実施形態では、ブラックのインクは、記録ヘッドの外部のインクタンクから供給され、ブラック以外のカラーインクは、記録ヘッドに予め格納されているものとしたが、この形態に限定されない。ブラック以外のカラーインクも、記録ヘッドの外部のインクタンクから供給される形態であっても良い。
【０１１１】
上述の実施形態では、記録ヘッド７ｂに、複数の色のインクが格納されるものとしたが、この形態に限定されない。１つの記録ヘッドに、１つの色のインクが格納される形態であっても良い。
【０１１２】
上述の実施形態では、装着部において記録ヘッドが脱着可能なものとしたが、この形態に限定されない。例えば装着部において、記録ヘッドそのものではなく、記録ヘッドにカラーインクを供給するインクカートリッジ等が脱着可能な形態であっても良い。また記録装置１が、インクジェット方式のプリンタではなく、電子写真方式のプリンタであれば、例えば装着部において、記録剤としてトナーを供給するトナーカートリッジ等が脱着可能な形態であっても良い。
【０１１３】
上述の実施形態では、記録装置１に、２つの記録ヘッドを装着可能であるものとしたが、この形態に限定されない。記録装置１に１つのみ記録ヘッドが装着可能であっても良いし、３つ以上の記録ヘッドが装着可能であっても良い。またその場合、各装着部において、上述の状態判定処理が実行されてよく、その結果に応じた処理が実行されてよい。
【０１１４】
上述の実施形態では、ダイオード温度センサから出力を得るための構成を用いて、状態判定処理を行う形態を説明したが、この形態に限定されない。例えば、記録ヘッドやコンタクトパッドが有する識別ＩＤを取得を試み、識別ＩＤを取得できたか否かや、取得した識別ＩＤの内容に基づいて、状態判定処理を実行しても良い。また例えば、装着部に装着されている装着部品を検知するための物理センサを記録装置１に設け、当該物理センサの出力に基づいて、状態判定処理を実行しても良い。すなわち本発明において、状態判定処理の方法は限定されず、状態判定処理の結果に応じた適切な処理が実行されれば良い。
【０１１５】
上述の実施形態では、判定結果に応じた処理として、カラー印刷モードの設定、モノクロ印刷モードの設定、通知処理の実行を行うものとしたが、この形態に限定されない。判定結果に応じて、それぞれ異なる処理が実行されれば良い。例えば、判定結果に応じて、それぞれ異なる画面が表示されるように制御されても良い。具体的には、装着部が第１装着状態であることが特定されたことに基づき、装着部が第１装着状態であることを示す画面が表示され、装着部が第２装着状態であることが特定されたことに基づき、装着部が第２装着状態であることを示す画面が表示されても良い。また、装着部が第３装着状態であることが特定されたことに基づき、装着部が第３装着状態であることを示す画面が表示されても良い。
【０１１６】
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【０１１７】
１  記録装置
７  記録ヘッド
５０  コンタクトプロテクタ
【図１】
2020168828.tif 000003
【図２】
2020168828.tif 000004
【図３】
2020168828.tif 000005
【図４】
2020168828.tif 000006
【図５】
2020168828.tif 000007
【図６】
2020168828.tif 000008
【図７】
2020168828.tif 000009
【図８】
2020168828.tif 000010
【図９】
2020168828.tif 000011
【図１０】
2020168828.tif 000012
【図１１】
2020168828.tif 000013
【図１２】
2020168828.tif 000014
【図１３】
2020168828.tif 000015
【図１４】
2020168828.tif 000016
【図１５】
2020168828.tif 000017